(57)【要約】【課題】従来より表示開口を横方向に拡げることが可能な弾球遊技機を提供する。【解決手段】本発明に係るパチンコ遊技機１０は、遊技板１１の前面にガイドレール１２に囲まれた遊技領域Ｒ１を備え、その遊技板１１のうち遊技領域Ｒ１内に貫通形成された表示開口２５の前面側開口縁に表示枠体３３が取り付けられている。また、表示枠体３３には、遊技板１１の前面から突出し、表示開口２５の前面側に遊技球が進入することを規制する進入規制突部３３Ａが備えられ、進入規制突部３３Ａの側方には、遊技球が入賞可能な始動ゲート１８が備えられている。その始動ゲート１８が表示枠体３３に一体に設けられると共に、進入規制突部３３Ａの一部が、始動ゲート１８から外れた遊技球を受け入れて、遊技領域Ｒ１における始動ゲート１８の下方に排出する流下樋３５になっている。【選択図】図５
2010082119.tif 000002
【特許請求の範囲】
【請求項１】
遊技球が流下可能な遊技領域を前面に備えた遊技板と、
前記遊技板の前面から突出し、前記遊技領域を囲む区画壁と、
前記遊技板のうち前記遊技領域に貫通形成された表示開口と、
前記表示開口の奥部に配置されて、遊技の当否判定結果を表示するための表示装置と、
前記表示開口の前面側開口縁に取り付けられた表示枠体と、
前記表示枠体に形成されて前記遊技板の前面から突出し、前記表示開口の前面側に遊技球が進入することを規制する進入規制突部と、
前記進入規制突部の側方に配置されて前記遊技板の前面から突出し、遊技球が入賞可能なサイド入賞装置とを備えた弾球遊技機において、
前記サイド入賞装置を、前記表示枠体に一体に設けると共に、前記進入規制突部の一部を、前記サイド入賞装置から外れた遊技球を受け入れて、前記遊技領域における前記サイド入賞装置の下方に排出する流下樋としたことを特徴とする弾球遊技機。
【請求項２】
前記表示枠体には、側方に張り出しかつ前記表示開口の前面側の開口縁に重ねて固定される樹脂製の取付壁が備えられ、
前記サイド入賞装置は、前記取付壁に一体成形された樹脂ボディを含んでなることを特徴とする請求項１に記載の弾球遊技機。
【請求項３】
前記表示枠体のうち前記サイド入賞装置の入賞口の側方に仕切壁を設け、前記仕切壁を間に挟んで前記サイド入賞装置の前記入賞口と前記流下樋の上端開口とを隣り合わせに配置したことを特徴とする請求項１又は２に記載の弾球遊技機。
【請求項４】
前記仕切壁の上面を山形状にして、前記サイド入賞装置の入賞口に向かって傾斜した入賞口側斜面と、前記流下樋の上端開口に向かって傾斜した上端開口側斜面を設けたことを特徴とする請求項３に記載の弾球遊技機。
【請求項５】
前記遊技領域のうち前記表示開口の下方には、遊技球を受容して遊技板の後面に案内可能な入賞口を有した始動入賞装置と、
前記始動入賞装置における前記入賞口の両側に設けられ、前記始動入賞装置への遊技球の入賞を規制する規制姿勢と、前記始動入賞装置に遊技球を案内するガイド姿勢との間で回動可能であると共に、通常は、前記起立姿勢に保持された１対の可動翼とを設け、
前記サイド入賞装置は、遊技球が一度に１球のみ通過可能な円形の入賞口を上下方向に貫通形成して備え、前記サイド入賞装置の前記入賞口を遊技球が通過したときに、前記可動翼を所定期間に亘って前記ガイド姿勢に変更するか否かの姿勢当否判定を行う姿勢当否判定手段を設けたことを特徴とする請求項１乃至４の何れかに記載の弾球遊技機。
【請求項６】
前記区画壁の上端寄り位置に、前記遊技領域の内外に連通した進入口を設けると共に、前記区画壁の側方に、下方から弾かれた遊技球を前記進入口から前記遊技領域内に進入するように案内する発射レールを設け、
前記サイド入賞装置は、前記遊技領域のうち前記発射レール寄りの側部に配置されたことを特徴とする請求項１乃至５の何れかに記載の弾球遊技機。
【請求項７】
前記流下樋は、透明な部材で構成されると共に、前記流下樋の少なくとも一部が、前記表示装置の前面に重ねて配置されたことを特徴とする請求項１乃至６の何れかに記載の弾球遊技機。
【請求項８】
前記流下樋の下端開口は、前記表示枠体の一側部における上下方向の中間部に配置されると共に、側方に向けて遊技球を排出し、
前記表示枠体のうち前記前記流下樋の前記下端開口より下方には、側方から表示枠体に向かって流下する遊技球を受け入れて、前記表示枠体の下辺部における上面に備えた転動ステージに遊技球を案内するワープ樋と、
前記表示枠体の下辺部に設けられて、前記転動ステージを転動した遊技球を受容して前記表示枠体の下方に排出する誘導路とが設けられたことを特徴とする請求項１乃至７の何れかに記載の弾球遊技機。
【請求項９】
前記流下樋から排出された遊技球が衝突して、前記ワープ樋の上端開口に向かわせることが可能な障害釘が設けられていることを特徴とする請求項８に記載の弾球遊技機。
【請求項１０】
前記誘導路における排出口の真下には、遊技球を受容して遊技板の後面に案内可能な入賞口を有した下部入賞装置が備えられたことを特徴とする請求項８又は９に記載の弾球遊技機。
【発明の詳細な説明】
【技術分野】
【０００１】
本発明は、遊技板のうち遊技球が流下する遊技領域に表示開口を貫通形成し、その表示開口の奥部に表示装置を備え、表示開口の開口縁に表示枠体を取り付けると共に、表示開口の側方にサイド入賞装置を備えた弾球遊技機に関する。
【背景技術】
【０００２】
従来、この種の弾球遊技機では、遊技板における表示開口の開口縁に、表示枠体から側方に張り出した取付壁が重ねて固定されていた。また、遊技板の遊技領域には、表示枠体の取付壁より側方に入賞装置用開口が貫通形成され、その入賞装置用開口の開口縁にサイド入賞装置から側方に張り出した取付壁が重ねて固定されていた。そして、表示枠体とサイド入賞装置との間に遊技球が通過する流路が確保されていた（例えば、特許文献１参照）。
【特許文献１】特開２００７−２３６５３５号公報（第３図）
【発明の開示】
【発明が解決しようとする課題】
【０００３】
ところで、近年の弾球遊技機では、表示装置の大型化が進み、遊技領域において表示開口の占める割合が大きくなってきている。しかしながら、上記した従来の弾球遊技機では、表示枠体の取付壁とサイド入賞装置の取付壁とが干渉しない範囲でしか表示枠体とサイド入賞装置とを接近させることができないので、遊技領域のうち表示枠体の側方にサイド入賞装置のみを取り付けるための専用スペースが必要になり、表示開口を横方向に拡げることが困難であった。
【０００４】
本発明は、上記事情に鑑みてなされたもので、従来より表示開口を横方向に拡げることが可能な弾球遊技機の提供を目的とする。
【課題を解決するための手段】
【０００５】
上記目的を達成するためになされた請求項１の発明に係る弾球遊技機は、遊技球が流下可能な遊技領域を前面に備えた遊技板と、遊技板の前面から突出し、遊技領域を囲む区画壁と、遊技板のうち遊技領域に貫通形成された表示開口と、表示開口の奥部に配置されて、遊技の当否判定結果を表示するための表示装置と、表示開口の前面側開口縁に取り付けられた表示枠体と、表示枠体に形成されて遊技板の前面から突出し、表示開口の前面側に遊技球が進入することを規制する進入規制突部と、進入規制突部の側方に配置されて遊技板の前面から突出し、遊技球が入賞可能なサイド入賞装置とを備えた弾球遊技機において、サイド入賞装置を、表示枠体に一体に設けると共に、進入規制突部の一部を、サイド入賞装置から外れた遊技球を受け入れて、遊技領域におけるサイド入賞装置の下方に排出する流下樋としたところに特徴を有する。
【０００６】
請求項２の発明は、請求項１に記載の弾球遊技機において、表示枠体には、側方に張り出しかつ表示開口の前面側の開口縁に重ねて固定される樹脂製の取付壁が備えられ、サイド入賞装置は、取付壁に一体成形された樹脂ボディを含んでなるところに特徴を有する。
【０００７】
請求項３の発明は、請求項１又は２に記載の弾球遊技機において、表示枠体のうちサイド入賞装置の入賞口の側方に仕切壁を設け、仕切壁を間に挟んでサイド入賞装置の入賞口と流下樋の上端開口とを隣り合わせに配置したところに特徴を有する。
【０００８】
請求項４の発明は、請求項３に記載の弾球遊技機において、仕切壁の上面を山形状にして、サイド入賞装置の入賞口に向かって傾斜した入賞口側斜面と、流下樋の上端開口に向かって傾斜した上端開口側斜面を設けたところに特徴を有する。
【０００９】
請求項５の発明は、請求項１乃至４の何れかに記載の弾球遊技機において、遊技領域のうち表示開口の下方には、遊技球を受容して遊技板の後面に案内可能な入賞口を有した始動入賞装置と、始動入賞装置における入賞口の両側に設けられ、始動入賞装置への遊技球の入賞を規制する規制姿勢と、始動入賞装置に遊技球を案内するガイド姿勢との間で回動可能であると共に、通常は、起立姿勢に保持された１対の可動翼とを設け、サイド入賞装置は、遊技球が一度に１球のみ通過可能な円形の入賞口を上下方向に貫通形成して備え、サイド入賞装置の入賞口を遊技球が通過したときに、可動翼を所定期間に亘ってガイド姿勢に変更するか否かの姿勢当否判定を行う姿勢当否判定手段を設けたところに特徴を有する。
【００１０】
請求項６の発明は、請求項１乃至５の何れかに記載の弾球遊技機において、区画壁の上端寄り位置に、遊技領域の内外に連通した進入口を設けると共に、区画壁の側方に、下方から弾かれた遊技球を進入口から遊技領域内に進入するように案内する発射レールを設け、サイド入賞装置は、遊技領域のうち発射レール寄りの側部に配置されたところに特徴を有する。
【００１１】
請求項７の発明は、請求項１乃至６の何れかに記載の弾球遊技機において、流下樋は、透明な部材で構成されると共に、流下樋の少なくとも一部が、表示装置の前面に重ねて配置されたところに特徴を有する。
【００１２】
請求項８の発明は、請求項１乃至７の何れかに記載の弾球遊技機において、流下樋の下端開口は、表示枠体の一側部における上下方向の中間部に配置されると共に、側方に向けて遊技球を排出し、表示枠体のうち流下樋の下端開口より下方には、側方から表示枠体に向かって流下する遊技球を受け入れて、表示枠体の下辺部における上面に備えた転動ステージに遊技球を案内するワープ樋と、表示枠体の下辺部に設けられて、転動ステージを転動した遊技球を受容して表示枠体の下方に排出する誘導路とが設けられたところに特徴を有する。
【００１３】
請求項９の発明は、請求項８に記載の弾球遊技機において、流下樋から排出された遊技球が衝突して、ワープ樋の上端開口に向かわせることが可能な障害釘が設けられているところに特徴を有する。
【００１４】
請求項１０の発明は、請求項８又は９に記載の弾球遊技機において、誘導路における排出口の真下には、遊技球を受容して遊技板の後面に案内可能な入賞口を有した下部入賞装置が備えられたところに特徴を有する。
【発明の効果】
【００１５】
［請求項１の発明］
請求項１の弾球遊技機では、サイド入賞装置を表示枠体に一体に設けたので、それらサイド入賞装置と表示枠体とを別々に設けて遊技板に取り付けていた従来の弾球遊技機に比べて、サイド入賞装置を表示開口側に接近させることができる。これにより、従来より表示開口を横方向に拡げることが可能になる。しかも、表示枠体における進入規制突部の一部を流下樋とし、その流下樋が、サイド入賞装置から外れた遊技球を受け入れてサイド入賞装置の下方に排出するので、表示開口の側方に、遊技球がサイド入賞装置に入賞する流下経路と、サイド入賞装置を外れた遊技球がサイド入賞装置に下方に向かう流下経路とを含む複数の流下経路が確保され、遊技球の流下の趣向性が向上する。
【００１６】
［請求項２の発明］
請求項２の弾球遊技機によれば、サイド入賞装置は、表示枠体の取付壁に一体成形された樹脂ボディを含んでなるので、部品点数の削減が図られる。
【００１７】
［請求項３の発明］
請求項３の弾球遊技機では、仕切壁を間に挟んでサイド入賞装置の入賞口と流下樋の上端開口とを隣り合わせに配置され、仕切壁に当接した遊技球の跳ね返り方向に対して興味を持たせることができる。
【００１８】
［請求項４の発明］
請求項４の構成によれば、仕切壁の上面を山形状にしたので、その仕切壁のうちサイド入賞装置の入賞口に向かって傾斜した入賞口側斜面と、流下樋の上端開口に向かって傾斜した上端開口側斜面の何れに遊技球が当接するかに対して興味を持たせることができる。
【００１９】
［請求項５の発明］
請求項５の弾球遊技機では、可動翼が始動入賞装置への遊技球の入賞を規制する規制姿勢と、始動入賞装置に遊技球を案内するガイド姿勢の何れかになるかの姿勢当否判定を、サイド入賞装置に遊技球が入賞したことを条件に行うので、サイド入賞装置への入賞に対して興味を持たせることができる。
【００２０】
［請求項６の発明］
請求項６の弾球遊技機では、遊技球は遊技領域の上部からサイド入賞装置の近傍に到達する迄、ランダムに流下すると共に、サイド入賞装置に入賞するか否かもランダムに変化する。
【００２１】
［請求項７の発明］
請求項７の弾球遊技機では、流下樋は、透明な部材で構成されると共に、流下樋の少なくとも一部が、表示装置の前面に重ねて配置されているので、表示装置と流下樋における遊技球の流れを一度に見ることができる。
【００２２】
［請求項８の発明］
請求項８の弾球遊技機では、サイド入賞装置の下方において、遊技球がワープ樋を通過して表示枠体における下辺部の転動ステージを転動してから誘導路を通って表示枠体の下方に流下する流下経路と、表示枠体を側方を通過して表示枠体の下方に流下する流下経路とを含む複数の流下経路が確保され、遊技球の流下の趣向性が向上する。
【００２３】
［請求項９の発明］
請求項９の弾球遊技機では、流下樋から排出された遊技球が障害釘に衝突して、ワープ樋の上端開口に向かわることもあり、遊技球の流下の趣向性が向上する。
【００２４】
［請求項１０の発明］
請求項１０の構成によれば、転動ステージを通過して誘導路に流入すると、その排出口の真下の下部入賞装置に入賞し易くなるので、遊技球がワープ樋に入球するか否かに興味を持たせることができる。
【発明を実施するための最良の形態】
【００２５】
以下、本発明を適用したパチンコ遊技機１０に係る一実施形態を、図１〜図７に基づいて説明する。図１に示すように、本実施形態のパチンコ遊技機１０の遊技板１１には、略円形の遊技領域Ｒ１が設けられている。遊技板１１は、図２に示すように、全体が略四角形の木板であって、この遊技板１１の前面（遊技者と対向する側の面）は樹脂でコーティングされている。遊技領域Ｒ１は周囲をガイドレール１２（本発明に係る「区画壁」に相当する）によって囲まれている。ガイドレール１２は、第１及び第２の板金レール１２Ａ，１２Ｂとによって構成されている。また、各板金レール１２Ａ，１２Ｂは、帯状の板金を円弧状に湾曲させてなり、その一側縁部を遊技板１１の前面に宛がった状態に取り付けられている。具体的には、板金レール１２Ａ，１２Ｂの一側縁部の複数位置には図示しない取付釘が溶接され、それら取付釘を遊技板１１に形成された図示しない孔に圧入して板金レール１２Ａが遊技板１１から前方に突出した状態に固定されている。そして、第１の板金レール１２Ａは、遊技領域Ｒ１の周縁部のうち上側の略１／４円周分ほどを除いた部分に沿わせて配置されている。また、第２の板金レール１２Ｂ（本発明に係る「発射レール」にも相当する）の一端部は、第１の板金レール１２Ａの最下端部に対して左斜め下方に配置される一方、第２の板金レール１２Ｂの他端部は、第１の板金レール１２Ａの右側端部に対して、遊技球にして１〜２球分上方にオフセットした位置に配置されている。
【００２６】
第１の板金レール１２Ａの右側端部と第２の板金レール１２Ｂの右側端部との間は、緩衝部１２Ｃによって閉塞されている。緩衝部１２Ｃは、遊技板１１に固定された樹脂部材にゴム部材を取り付けてなり、そのゴム部材が第１と第２の板金レール１２Ａ，１２Ａの隙間から遊技領域Ｒ１内に臨んでいる。また、第１の板金レール１２Ａの左側端部と第２の板金レール１２Ｂの途中部分との間は、遊技球の１〜２球分離され、ここが遊技球の進入口１２Ｋになっている。また、第１の板金レール１２Ａの左端部には、進入口１２Ｋを通って遊技球が遊技領域Ｒ１の外側に出ないようにするための可撓片１２Ｈが備えられている。
【００２７】
図１に示すように、遊技板１１は前側を前面枠９５にて覆われ、その前面枠９５には、遊技領域Ｒ１に対応した略円形のガラス窓９５Ｗが設けられている。そして、そのガラス窓９５Ｗを通して遊技領域Ｒ１が前方に臨んでいる。前面枠９５のうちガラス窓９５Ｗの上方には左右に１対のスピーカ５６Ｓ，５６Ｓが設けられ、ガラス窓９５Ｗより下方には、上皿２７Ａ及び下皿２７Ｂが上下２段にして設けられている。そして、前面枠９５の右下角部に備えた操作ノブ２８を回動操作すると、上皿２７Ａに収容された遊技球が、第２の板金レール１２Ｂに沿って発射され、遊技領域Ｒ１へと送り込まれる。なお、上皿２７Ａに備えたボタン２９を押すと上皿２７Ａに収容されていた遊技球が下皿２７Ｂへと移動する。また、下皿２７Ｂの下方に容器（所謂、ドル箱）を配置して下皿２７Ｂに備えたボタン２７Ｃを押すと下皿２７Ｂに収容されていた遊技球が容器へと移動する。さらに、下皿２７Ｂの左側には、操作ジョグ２７Ｊが備えられ、ボタン２７Ｃの右側には、球貸し状態表示モニター２７Ｄ及び球貸し操作ボタン２７Ｅが設けられている。
【００２８】
遊技板１１には、図３に示した表示開口２５が貫通形成され、その表示開口２５の開口縁には図２に示すように表示枠体３３が取り付けられている。図３に示すように、表示開口２５は、遊技領域Ｒ１における上側かつ右側（図３に向かって右側。以下同様。）に寄せて配置されている。そして、図４に示した液晶支持枠体３２が、遊技板１１の前面における表示開口２５の開口縁に固定され、その液晶支持枠体３２の後面には、図２に示した表示装置３０（詳細には、ＴＦＴ−ＬＣＤモジュール）が固定されている。そして、その表示装置３０の前面が液晶支持枠体３２、表示開口２５及び表示枠体３３を介して前方に臨んで液晶表示画面３１Ｇになっている。また、図３に示すように、遊技領域Ｒ１のうち表示開口２５の左側及び下側の領域全体に亘って複数の障害釘１１Ｎが起立している。表示枠体３３に関しては後に詳説する。なお、表示開口２５の内側面には、後述する検出スイッチ５２を受容するための凹部２５Ａが形成されている。
【００２９】
図２に示すように、遊技領域Ｒ１のうち表示枠体３３の下方における左右方向の中央部には、第１及び第２の始動入賞口１４Ａ，１４Ｂ、大入賞口１５及びアウト口１６が上から順番に並べて設けられ、左右の両側部には、ガイドレール１２に沿って、一般入賞口２０，２１及びサイドランプ２２がそれぞれ設けられている。また、第１及び第２の始動入賞口１４Ａ，１４Ｂ、大入賞口１５、一般入賞口２０，２１及びアウト口１６に入球した遊技球は、遊技板１１の裏側に取り込まれる。そして、第１及び第２の始動入賞口１４Ａ，１４Ｂ、大入賞口１５及び一般入賞口２０，２１の奥部に備えた図示しない検出スイッチによって、遊技球の入球が検出される。
【００３０】
大入賞口１５は、横長矩形に形成されて、常には、可動扉１５Ｔにて閉塞されている。そして、所定の条件が成立したときに可動扉１５Ｔが下縁部を中心に回動して斜め前側に開き、その可動扉１５Ｔを案内にして大入賞口１５に多くの遊技球が入賞可能となる。また、大入賞口１５の内部には、継続入賞口（図示せず）と計数入賞口（図示せず）とが設けられている。可動扉１５Ｔが開いたときには、継続入賞口は開放しており、１つの遊技球が継続入賞口に入賞すると、継続入賞口は閉鎖される。一方、計数入賞口は常時開放している。そして、継続入賞口及び計数入賞口の何れかに遊技球が１つ入賞する度に、例えば、１５個の遊技球が上皿２７Ａに払い出される。
【００３１】
第１及び第２の始動入賞口１４Ａ，１４Ｂ、及び、一般入賞口２０，２１は、所謂、ポケット構造をなし、遊技球が丁度１つ入球可能な大きさで上方に開口している。また、第１始動入賞口１４Ａ及び一般入賞口２０，２１に遊技球が１つ入球する度に、例えば、４個の賞球が上皿２７Ａに払い出される。
【００３２】
また、第１及び第２の始動入賞口１４Ａ，１４Ｂのうち第２の始動入賞口１４Ｂは、第１の始動入賞口１４Ａの真下に配置されている。また第２の始動入賞口１４Ｂの左右両側には可動翼１４Ｃ，１４Ｃが備えられている。これら両可動翼１４Ｃ，１４Ｃは、常には起立姿勢になっている。これにより、第２の始動入賞口１４Ｂの上方空間は、常には、第１の始動入賞口１４Ａを構成する部材と可動翼１４Ｃ，１４Ｃとで囲まれて、遊技球が入らないようになっている。そして、所定条件が成立すると、可動翼１４Ｃ，１４Ｃが横に倒れたガイド姿勢になり、それら可動翼１４Ｃ，１４Ｃを案内にして第２の始動入賞口１４Ｂへの入賞が可能になる。なお、第１及び第２の始動入賞口１４Ａ，１４Ｂを有して遊技板１１に固定された装置が、本発明の「始動入賞装置」及び「下部入賞装置」に相当する。
【００３３】
表示枠体３３の左側方には下寄り位置に風車１９が設けられている。また、表示枠体３３の左下側角部の下方には、樹脂ガイド１７が設けられている。樹脂ガイド１７の上面１７Ｒは、遊技領域Ｒ１の左右方向の中央に向かって緩やかに下るように傾斜している。また、樹脂ガイド１７の下方には、複数（例えば、１０個）のＬＥＤを有した保留数表示部１７Ｂと７セグメントＬＥＤで構成された普通図柄表示部１７Ａが設けられている。
【００３４】
表示枠体３３の左側方には、その表示枠体３３の側辺における上下方向の中間位置に始動ゲート１８（本発明に係る「サイド入賞装置」に相当する）が設けられている。始動ゲート１８は、遊技球が通過可能な門形構造をなし、通過した遊技球は始動ゲート１８に内蔵された検出スイッチ５２（図６参照）によって検出される。
【００３５】
上記した始動ゲート１８及び始動入賞口１４Ａ，１４Ｂに遊技球が入球すると以下の所定の抽選が行われ、当りになると遊技者にとって有利な特典が付与される。
【００３６】
始動ゲート１８に遊技球が入球すると、可動翼１４Ｃ，１４Ｃを開放するか否かの予備当否判定が行われ、その当否判定の結果は、普通図柄表示部１７Ａに表示される。具体的には、始動ゲート１８に遊技球が通過すると、普通図柄表示部１７Ａに、「０」〜「９」までの数字からなる数字図柄が所定期間に亘って変動表示された後、所定の数字図柄が停止表示される。このとき停止表示された数字が奇数の場合には、「当り」となり、偶数の場合には「外れ」になる。そして、当りになると、保留数表示部１７Ｂが点滅し、可動翼１４Ｃ，１４Ｃが所定期間（例えば、０．４秒間）に亘って開かれ、第２始動入賞口１４Ｂへの遊技球の入賞可能になる。
【００３７】
第１又は第２の始動入賞口１４Ａ，１４Ｂに遊技球が入賞すると、「大当り遊技」を実行するか否かの当否判定が行われ、その当否判定の結果は、液晶表示画面３１Ｇに表示される。液晶表示画面３１Ｇには、通常、図１に示すように、３つの左、中、右の特別図柄２３Ａ，２３Ｂ，２３Ｃが横並びに表示されている。これら各特別図柄２３Ａ，２３Ｂ，２３Ｃは、例えば、「０」〜「１１」の数字を表記した複数種類のもので構成されており、通常は、各特別図柄２３Ａ，２３Ｂ，２３Ｃごと、所定の種類のものが停止表示されている。そして、第１始動入賞口１４Ａに遊技球が入賞して当否判定が行われたときに、これら３つの特別図柄２３Ａ，２３Ｂ，２３Ｃが、上下方向にスクロール表示され、所定時間後に、例えば、左、右、中の順で各特別図柄２３Ａ，２３Ｂ，２３Ｃが停止表示される。このとき、遊技の当否判定の結果が「大当り」であれば、例えば全ての特別図柄２３Ａ，２３Ｂ，２３Ｃが同じ図柄、即ち、ぞろ目になる。
【００３８】
また、左右の特別図柄１３Ａ，１３Ｃが同じ図柄で停止表示し、中特別図柄１３Ｂのみが変動表示したリーチ状態となると、液晶表示画面３１Ｇには所定のリーチ演出画像（例えばキャラクタ画像）が表示される。なお、上記した操作ジョグ２７Ｊを押圧すると、液晶表示画面３１Ｇで変動表示されている特別図柄２３Ａ，２３Ｂ，２３Ｃ以外の画像（例えば、キャラクタ画像）を、遊技者の任意のタイミングで停止させることができる。
【００３９】
液晶表示画面３１Ｇにおいて特別図柄２３Ａ，２３Ｂ，２３Ｃが変動表示されている間又は「大当り状態」の最中に第１始動入賞口１４Ａに入賞した場合、その入賞球は保留球として最大で５個まで記憶され、その保留記憶数（保留球数）は、液晶表示画面３１Ｇにおける左下角の保留球数表示部２３Ｚに表示されている。そして、特別図柄２３Ａ，２３Ｂ，２３Ｃが停止表示又は「大当り状態」が終了すると、その保留記憶数が１つ減らされて再び、特別図柄２３Ａ，２３Ｂ，２３Ｃが変動表示してから停止表示されて、遊技の当否判定結果が表示される。
【００４０】
「大当り遊技」の当否判定結果が大当りになると、可動扉１５Ｔが開放される。ここで、可動扉１５Ｔが開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、大入賞口１５内の継続入賞口に遊技球の入賞した場合に、ラウンド終了後に、連続して次のラウンドが実行される。また、「大当り状態」は、最大で、例えば１５ラウンドまで継続される。
【００４１】
以下、本発明の主要部位である表示枠体３３について詳説する。表示枠体３３は樹脂の成形部品を複数組み合わせてなる。また、図４に示すように、表示枠体３３の側面からは、略全体に亘って取付壁３３Ｆが張り出している。その取付壁３３Ｆには、点在した複数位置にビス孔３３Ｅが貫通形成されている。そして、取付壁３３Ｆを表示開口２５の開口縁に重ねた状態にして、ビス孔３３Ｅに挿通したビスを遊技板１１に締め付けて表示枠体３３が遊技板１１に固定されている。また、取付壁３３Ｆの外縁部には傾斜面が形成され、遊技球が取付壁３３Ｆにスムーズに乗り上がるようになっている。
【００４２】
表示枠体３３のうち取付壁３３Ｆより後側部分は、表示開口２５の内側に嵌合される嵌合部３３Ｂになっている。また、表示枠体３３のうち上辺部分及び両側辺部分には、取付壁３３Ｆより前方に突出して遊技球が液晶表示画面３１Ｇの前側を通過することを規制する進入規制突部３３Ａが備えられている。具体的には、表示枠体３３の上辺部分には左右方向の中央に段差部３３Ｄが設けられ、その段差部３３Ｄより右側が高くなっている。そして、表示枠体３３のうち段差部３３Ｄより右側部分からの上端から表示枠体３３の右下角部迄の範囲においては、進入規制突部３３Ａの外側面がガイドレール１２との間に遊技球１つが通過可能な位置に配置されている。なお、表示枠体３３のうち段差部３３Ｄの内側部分には、遊技を演出するための演出ライト３３Ｌが備えられている。
【００４３】
表示枠体３３の上辺部分のうち上記段差部３３Ｄよりの左側部分の外側面は、緩やかに傾斜し、途中から湾曲しながら左斜め下方に向かっている。また、表示枠体３３の左側辺部分の外側面には、表示枠体３３の上辺部分の端部から連続し、鉛直方向に対して略３０度の角度で斜め下方外側に向かって延びた外向傾斜部３３Ｈと、外向傾斜部３３Ｈから内側に屈曲し、鉛直方向に対して略３０度の角度で斜め下方内側に向かって延びた内向傾斜部３３Ｊとが備えられている。
【００４４】
表示枠体３３の左辺部分における上下方向の中間部分は、本発明に係る流下樋３５になっている。そして、流下樋３５の上端開口３５Ａ及び下端開口３５Ｂが内向傾斜部３３Ｊの下方に上下に並べて配置され、側方に向かって開放している。そして、図６の太線矢印で示すように、流下樋３５は、上端開口３５Ａから遊技板１１の前面と平行に遊技球１つ分進んだところで、液晶表示画面３１Ｇ側に折れ曲がり、液晶表示画面３１Ｇに接近したところで、下方に向かった後、液晶表示画面３１Ｇから離れる側に折れ返し、さらに、側方に曲がって下端開口３５Ｂに繋がっている。
【００４５】
より具体的には、流下樋３５は、表示枠体３３の一部に形成された袋形壁３５Ｆの内部を中間壁３５Ｃにて仕切ってなる。袋形壁３５Ｆは、上下方向に遊技球を略３個並べた高さ、遊技板１１の前面と直交する前後方向に遊技球を略２．５個並べた奥行き、遊技板１１の前面と平行な水平横方向に遊技球１．５個分の幅の空間を有している。そして、袋形壁３５Ｆのうち前側略半分が、遊技板１１の前面から前方に突出すると共に側方に開放し、その開放口を袋形壁３５Ｆ内に備えた中間壁３５Ｃによって上下に２分割して、上端開口３５Ａ及び下端開口３５Ｂが形成されている。また、中間壁３５Ｃは、袋形壁３５Ｆの上下方向の中間に位置し、奥行き方向の半分程度の大きさになって、袋形壁３５Ｆの前側に配置されている。
【００４６】
袋形壁３５Ｆの内側の前面と側面との角部には、それら前面と側面に対して斜めに交差した第１コーナー傾斜部３５Ｓが備えられている。また、袋形壁３５Ｆの内側の上面と後面との角部にも、それら上面と後面とに対して斜めに交差した第２コーナー傾斜部３５Ｔが備えられている。さらに、袋形壁３５Ｆの内側の後面と底面との角部には幅方向に中央に縦長のコーナーリブ３５Ｌが備えられている。そして、そのコーナーリブ３５Ｌの上端部が下方に向かうに従って徐々に前側に突出するように傾斜した第３コーナー傾斜部３５Ｕになっている。また、表示枠体３３のうち流下樋３５を構成する樹脂部品は、透明になっており、内部を通過する遊技球の動きを視認可能になっている。
【００４７】
取付壁３３Ｆの一部は、表示枠体３３のうち前記した内向傾斜部３３Ｊの下端部から下端開口３５Ｂの下端部に亘る範囲に形成されている。その取付壁３３Ｆのうち流下樋３５の上下方向における中間部に対応した位置には、側方に張り出した突片部分５０が備えられ、表示枠体３３における突片部分５０のうち流下樋３５側の基端部から先端寄り位置に亘る範囲には、前方に突出したサイド突部５１（本発明に係る「樹脂ボディ」に相当する）が一体形成されている。サイド突部５１の前端には、帯状をなして左右方向に延びた前面壁５１Ａが備えられ、その前面壁５１Ａの前面と流下樋３５の前面とが略面一になっている。
【００４８】
前面壁５１Ａのうち流下樋３５から離れた側の端部と取付壁３３Ｆとの間は、前後方向に延びた第１支持壁５１Ｂによって連絡されている。その第１支持壁５１Ｂは、流下樋３５側が開放した溝形構造（図示せず）になっている。また、前面壁５１Ａのうち左右方向の中間部と取付壁３３Ｆとの間は、第１支持壁５１Ｂと対称の溝形構造をなした図示しない第２支持壁によって連絡されている。さらに、取付壁３３Ｆのうち第１支持壁５１Ｂと第２支持壁とに挟まれた部分であって前後方向で前面壁５１Ａと重なった横長の四角形領域には貫通孔が形成されている。そして、その貫通孔に遊技球を検出するための検出スイッチ５２が挿入され、これにより、前記した始動ゲート１８が構成されている。
【００４９】
検出スイッチ５２は、全体が長方形の板状をなし、長手方向に一端部に遊技球が１つ通過可能な円形の入賞口５２Ａを備えている。また、検出スイッチ５２のうち入賞口５２Ａ側の一端部が第１支持壁５１Ｂと第２支持壁とに挟まれ、検出スイッチ５２の他端部が取付壁３３Ｆより後方に突出した状態になっている。そして、取付壁３３Ｆの後方に突出した図示しない可撓係止爪の先端を検出スイッチ５２の後端面に係止して、検出スイッチ５２が抜け止めされている。
【００５０】
前面壁５１Ａのうち流下樋３５側の端部と取付壁３３Ｆとの間は、前後方向に延びた図示しない第３支持壁によって連絡されている。そして、上記した図示しない第２支持壁の上縁部と第３支持壁の上縁部との間が、本発明に係る仕切壁３９によって連絡されている。図７に示すように、仕切壁３９の上面は山形状になっており、始動ゲート１８の入賞口５２Ａ（詳細には、始動ゲート１８を構成する検出スイッチ５２の入賞口５２Ａ）に向かって傾斜した入賞口側斜面３９Ａと、流下樋３５の上端開口３５Ａに向かって傾斜した上端開口側斜面３９Ｂとを備えている。また、入賞口側斜面３９Ａと上端開口側斜面３９Ｂとが交差する頂点部分は、仕切壁３９のうち始動ゲート１８寄りに配置され、入賞口側斜面３９Ａは上端開口側斜面３９Ｂより急斜面になっている。
【００５１】
図４に示すように、表示枠体３３の左側辺部における流下樋３５の下方には、中間ブロック壁５３が設けられている。中間ブロック壁５３の上面５３Ａは、流下樋３５の底面と面一になってサイド突部５１の下方に延び、その上面５３Ａの先端は上下方向で入賞口５２Ａの一部に僅かに重なっている。また、上面５３Ａの先端からは斜め内側下方に中間ブロック壁５３の側面５３Ｂが折り返されている。
【００５２】
図６に示すように、表示枠体３３の左辺部分における中間ブロック壁５３の下方には、ワープ樋３６が形成されている。ワープ樋３６の上端は、表示枠体３３の中間ブロック壁５３の下方で側方に向かって開放した上端開口３６Ａになっている。ワープ樋３６は、上端開口３６Ａから遊技板１１の前面と平行な水平方向に、遊技球、略２．５個分進んだところで、液晶表示画面３１Ｇ側に向かって屈曲し、さらに、階段状に複数回屈曲して下方に向かっている。ワープ樋３６の下端は、次述する転動ステージ３３Ｓの後段部上面より上方に位置して下方に向かって開放した下端開口３６Ｂになっている。なお、図７に示すように、ワープ樋３６における上端開口３６Ａの下縁部（図７の符号３６Ｐ参照）は、中間ブロック壁５３の側面５３Ｂにおける下端部と左右方向で略同一位置に配置されている。
【００５３】
図６に示すように、表示枠体３３の左辺部分におけるワープ樋３６の前側には、障害振り子３８が設けられている。障害振り子３８は、取付壁３３Ｆの一部を表示枠体３３の内側に突出させ、その突出部分から前方に突出した回動支軸３８Ｊに上端部を回動可能に支持され、下端部に金属製のウエイト３８Ｗを内蔵して備えている。また、障害振り子３８は、回動支軸３８Ｊから真下に垂れた原点姿勢から表示枠体３３の左右方向の中央にのみ回動するように回動範囲を規制されている。
【００５４】
障害振り子３８の下端から遊技球１．５個分離れた下方には、左側傾斜板３３Ｐが設けられている。左側傾斜板３３Ｐは帯板状をなして表示枠体３３の左右方向の中央に向かって緩やかに傾斜して延びかつ左側端部のみが急な傾斜になっている。また、左側傾斜板３３Ｐは、取付壁３３Ｆから前方に張り出しており、左側傾斜板３３Ｐの前端とワープ樋３６の上端部の前端との間には、透明はカバー壁３３Ｔが差し渡されている。
【００５５】
図５に示すように、表示枠体３３の下辺部分の内側上面には、遊技球が転動可能な転動ステージ３３Ｓが設けられている。転動ステージ３３Ｓは、奥行き方向で２段になっており、前段部が後段部より低くなっている。また、転動ステージ３３Ｓの段差面における左右方向の中央には誘導路３４Ｙの流入口３４Ａが上方に向かって開放しており、その誘導路の排出口３４Ｂは表示枠体３３の下辺部分の前面に開放し、第１始動入賞口１４Ａの真上に位置している。これにより、遊技球は誘導路に入球すると第１始動入賞口１４Ａに入賞し易くなる。また、転動ステージ３３Ｓの前縁部からは、遊技球が前側に流下することを規制する柵壁３４Ｗが上方に突出している。そして、その柵壁３４Ｗのうち排出口３４Ｂの両側の２位置が切除されて、遊技球が流下可能な１対のステージ排出部３４Ｈ，３４Ｈが形成されている。
【００５６】
また、表示枠体３３の下辺部分のうち左側傾斜板３３Ｐと反対側の端部には、左側傾斜板３３Ｐと同様に取付壁３３Ｆから前方に張り出した右側傾斜板３３Ｚが設けられている。また、右側傾斜板３３Ｚと転動ステージ３３Ｓとの間には、柵壁３４Ｗが設けられておらず、転動ステージ３３Ｓから右側傾斜板３３Ｚ上へと遊技球が転動可能になっている。さらに、右側傾斜板３３Ｚは、左側傾斜板３３Ｐと同様に、表示枠体３３の左右方向の中央に向かって緩やかに傾斜している。
【００５７】
右側傾斜板３３Ｚの下方には、右側傾斜板３３Ｚと略平行に延びた右側サブ傾斜板３３Ｒが設けられている。そして、表示枠体３３の右側辺部とガイドレール１２との間の領域を通過した遊技球が右側サブ傾斜板３３Ｒ上を転動して遊技領域Ｒ１の左右方向の中央側に案内されるようになっている。
【００５８】
本実施形態のパチンコ遊技機１０の構成に関する説明は以上である。次に本実施形態のパチンコ遊技機１０の作用効果について説明する。操作ノブ２８を操作すると遊技球が順次、遊技領域Ｒ１に打ち込まれる。そのうちの多くは、表示枠体３３の上辺部分における段差部３３Ｄ又は障害釘１１Ｎに衝突して遊技領域Ｒ１における表示枠体３３より左側の領域を流下する。すると、遊技球が障害釘１１Ｎに衝突しながら流下経路をランダムに変えて、表示枠体３３の左側方領域を流下する。そして、一部の遊技球が始動ゲート１８より表示枠体３３から離れた側の第１流下経路Ｋ１を流下し、別の一部の遊技球が始動ゲート１８の入賞口５２Ａ（図６参照）を通過する第２流下経路Ｋ２を流下し、さらに、別の一部の遊技球が、流下樋３５内を通過する第３流下経路Ｋ３を流下する。
【００５９】
ここで、遊技球が始動ゲート１８を通過した場合には、第２始動入賞口１４Ｂの可動翼１４Ｃ，１４Ｃを開放するか否かの予備当否判定が行われ、その判定結果が当りであると、第２始動入賞口１４Ｂの可動翼１４Ｃ，１４Ｃが所定期間（例えば、０．４秒間）に亘って開かれ、第２始動入賞口１４Ｂへの遊技球の入賞可能になる。このため、遊技者は、始動ゲート１８の入賞口５２Ａと始動ゲート１８の上端開口３５Ａとの間の仕切壁３９に当接した遊技球の跳ね返り方向に対して興味を持って遊技を楽しむことができる。
【００６０】
第１〜第３の何れかの流下経路Ｋ１，Ｋ２，Ｋ３を通過した遊技球は、障害釘１１Ｎに衝突してランダムに向きを変え、一部の遊技球はワープ樋３６に入球して転動ステージ３３Ｓに到達する。また、他の一部の遊技球は、図５に示した左側傾斜板３３Ｐに到達し、さらに、他の一部の遊技球は、図２に示した樹脂ガイド１７の上面１７Ｒに到達する。そして、それら遊技球は、転動ステージ３３Ｓ、左側傾斜板３３Ｐ、上面１７Ｒ上を転動してから、何れも表示枠体３３の下方領域をランダムに流下する。また、表示枠体３３の右側を通過した遊技球は、右側サブ傾斜板３３Ｒを転動して、表示枠体３３の下方領域をランダムに流下する。そして、表示枠体３３の下方領域をランダムに流下した遊技球は、第１及び第２の始動入賞口１４Ａ，１４Ｂ、一般入賞口２０，２１又はアウト口１６に入球する。このとき、第１及び第２の始動入賞口１４Ａ，１４Ｂに遊技球が入球した場合には、当否判定が行われる。
【００６１】
すると、図１に示した液晶表示画面３１Ｇにおける３つの左、中、右の特別図柄２３Ａ，２３Ｂ，２３Ｃが上下方向にスクロール表示され、所定時間後に、例えば、左、右、中の順で各特別図柄２３Ａ，２３Ｂ，２３Ｃが停止表示される。そして、例えば全ての特別図柄２３Ａ，２３Ｂ，２３Ｃが同じ図柄、即ち、ぞろ目になり、当否判定結果が「大当たり」になると大当りの演出画像が液晶表示画面３１Ｇに表示され、大入賞口１５の可動扉１５Ｔが開き、大量の遊技球が大入賞口１５に入球可能になる。
【００６２】
ところで、液晶表示画面３１Ｇが大きいと、演出の迫力が増す。その液晶表示画面３１Ｇを大きくするためには、遊技板１１に貫通形成する表示開口２５（図３参照）を大きくする必要がある。これに対し、本実施形態のパチンコ遊技機１０では、始動ゲート１８を表示枠体３３に一体に設けたので、それら始動ゲート１８と表示枠体３３とを別々に設けて遊技板１１に取り付けていた従来のパチンコ遊技機に比べて、始動ゲート１８を表示開口２５側に接近させることができる。これにより、従来より表示開口２５を横方向に拡げることが可能になる。しかも、表示枠体３３における進入規制突部３３Ａの一部を流下樋３５とし、その流下樋３５が、始動ゲート１８から外れた遊技球を受け入れて始動ゲート１８の下方に排出するので、液晶表示画面３１Ｇの側方に、上記したように遊技球が始動ゲート１８に入賞する第２流下経路Ｋ２と、始動ゲート１８を外れた遊技球が始動ゲート１８に下方に向かう第１及び第３の流下経路Ｋ１，Ｋ３とを含む複数の流下経路Ｋ１，Ｋ２，Ｋ３が確保され、遊技球の流下の趣向性が向上する。また、始動ゲート１８は、表示枠体３３の取付壁３３Ｆに一体成形されたサイド突部５１を含んでなるので、部品点数の削減が図られる。さらには、流下樋３５は、透明な部材で構成されると共に液晶表示画面３１Ｇに前後方向で重ねて配置されているので、液晶表示画面３１Ｇと流下樋３５における遊技球の流れを一度に見ることができる。
【００６３】
また、本実施形態のパチンコ遊技機１０では、始動ゲート１８の下方において、遊技球がワープ樋３６を通過して表示枠体３３における下辺部の転動ステージ３３Ｓを転動してから誘導路３４Ｙを通って表示枠体３３の下方に流下する流下経路と、表示枠体３３を側方を通過して表示枠体３３の下方に流下する流下経路とを含む複数の流下経路が確保され、この点においても遊技球の流下の趣向性が向上する。
【００６４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６５】
（１）前記実施形態では、パチンコ遊技機１０に本発明を適用していたがアレンジボール等に本発明を適用してもよい。
【００６６】
（２）前記実施形態では、始動ゲート１８と表示枠体３３における進入規制突部３３Ａとの間には、遊技球が通過する経路が設けられていなかったが、始動ゲート１８と進入規制突部３３Ａとを離間させて、遊技球が通過する経路を確保してもよい。
【図面の簡単な説明】
【００６７】
【図１】本発明の一実施形態に係るパチンコ遊技機の正面図
【図２】表示枠体を取り付けた後の遊技板の正面図
【図３】表示枠体を取り付ける前の遊技板の正面図
【図４】表示枠体と液晶支持枠体の斜視図
【図５】表示枠体の斜視図
【図６】表示枠体の左側辺部の斜視図
【図７】遊技領域の一部の正面図
【符号の説明】
【００６８】
１０    パチンコ遊技機
１１    遊技板
１１Ｎ    障害釘
１２    ガイドレール
１２Ｈ    可撓片
１２Ｋ    進入口
１４Ａ，１４Ｂ    第１と第２の始動入賞口
１４Ｃ，１４Ｃ    可動翼
１５    大入賞口
１５Ｔ    可動扉
１８    始動ゲート
２５    表示開口
３１Ｇ    液晶表示画面
３２    液晶支持枠体
３３    表示枠体
３３Ａ    進入規制突部
３３Ｆ    取付壁
３３Ｓ    転動ステージ
３４Ａ    流入口
３４Ｂ    排出口
３４Ｙ    誘導路
３５    流下樋
３５Ａ    上端開口
３５Ｂ    下端開口
３６    ワープ樋
３６Ａ    上端開口
３６Ｂ    下端開口
３９    仕切壁
３９Ａ    入賞口側斜面
３９Ｂ    上端開口側斜面
５０    突片部分
５２    検出スイッチ
５２Ａ    入賞口
Ｒ１    遊技領域
【図１】
2010082119.tif 000003
【図２】
2010082119.tif 000004
【図３】
2010082119.tif 000005
【図４】
2010082119.tif 000006
【図５】
2010082119.tif 000007
【図６】
2010082119.tif 000008
【図７】
2010082119.tif 000009